【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
施行ユニット用に動的ポリシ更新を行うシステムであって、当該システムが、
複数のクライアント側施行ユニットであって、前記複数のクライアント側施行ユニットのそれぞれのクライアント側施行ユニットが、
第１の接続ネットワークおよび第２の接続ネットワークを介して通信を行うための１個以上の第１のネットワークインターフェースであって、前記第１の接続ネットワークが前記クライアント側施行ユニットと宛先ネットワークとの間の第１の特徴を有し、前記第２の接続ネットワークが前記クライアント側施行ユニットと前記宛先ネットワークとの間の第２の特徴を有し、前記第２の特徴が前記第１の特徴とは異なる第１のネットワークインターフェースと、
第１の処理ユニットであって、
前記クライアント側施行ユニットに固有の受信されたポリシ情報に基づいて個別リターンリンクポリシを動的に施行し、
前記宛先ネットワークへ配信するネットワークメッセージをネットワーク装置から受信し、
前記１個以上第１のネットワークインターフェースを介して、前記個別リターンリンクポリシを用いて前記ネットワークメッセージを前記第１の接続ネットワークと前記第２の接続ネットワークのうち少なくとも一方を介して送信する第１の処理ユニットと、を含む複数のクライアント側施工ユニットと、
ポリシ管理ユニットであって、当該ポリシ管理ユニットが、
前記第１の接続ネットワークと前記第２の接続ネットワークのうち少なくとも一方を介して通信を行うための１個以上の第２のネットワークインターフェースと、
第２の処理ユニットであって、
前記第１の接続ネットワークを介して、および前記第２の接続ネットワークを介して、前記複数のクライアント側施行ユニットの各クライアント側施行ユニットにより、各々の送信を示す情報を取得し、
前記情報に基づいて前記複数のクライアント側施行ユニットの各クライアント側施行ユニットに固有のポリシ情報を更新し、
前記１個以上の第２のネットワークインターフェースを介して、各クライアント側施行ユニットに固有の更新済みポリシ情報を送信する第２の処理ユニットと、
を含むポリシ管理ユニットと、
を備えることを特徴とするシステム。
【請求項２】
請求項１に記載のシステムにおいて、前記クライアント側施行ユニットの前記第１の処理ユニットが、前記更新済みポリシ情報の受信に応答して、前記第１の接続ネットワークおよび前記第２の接続ネットワークを介してネットワークメッセージを引き続き送信すべく前記個別リターンリンクポリシを更新することを特徴とするシステム。
【請求項３】
請求項１に記載のシステムにおいて、前記第２の処理ユニットが更に、前記第１の接続ネットワークを介した、および前記第２の接続ネットワークを介した、前記複数のクライアント側施行ユニットの各クライアント側施行ユニットへの各々の送信を示す第２の情報を取得して、前記第２の情報に基づいて前記複数のクライアント側施行ユニットの各クライアント側施行ユニットに固有の前記ポリシ情報を更新することを特徴とするシステム。
【請求項４】
請求項１に記載のシステムにおいて、前記複数のクライアント側施行ユニットが、クライアント側施行ユニットの第１のグループおよびクライアント側施行ユニットの第２のグループを含み、前記第１のグループの各クライアント側施行ユニットの個別リターンリンクポリシが、前記第２のグループの各クライアント側施行ユニットの個別リターンリンクポリシとは異なることを特徴とするシステム。
【請求項５】
請求項４に記載のシステムにおいて、前記第１のグループの各クライアント側施行ユニットが第１の種類の通信端末に関連付けられていて、前記第２のグループの各クライアント側施行ユニットが第２の種類の通信端末に関連付けられていることを特徴とするシステム。
【請求項６】
請求項４に記載のシステムにおいて、前記第１のグループの各クライアント側施行ユニットの個別リターンリンクポリシの少なくとも一部が共通であることを特徴とするシステム。
【請求項７】
施行ユニット用に動的ポリシ更新を行うシステムであって、当該システムが、
複数のクライアント側施行ユニットであって、前記複数のクライアント側施行ユニットの１つのクライアント側施行ユニットが、
第１の接続ネットワークおよび第２の接続ネットワークを介して通信を行うための１個以上の第１のネットワークインターフェースであって、前記第１の接続ネットワークが前記クライアント側施行ユニットと宛先ネットワークとの間の第１の特徴を有し、前記第２の接続ネットワークが前記クライアント側施行ユニットと前記宛先ネットワークとの間の第２の特徴を有し、前記第２の特徴が前記第１の特徴とは異なる第１のネットワークインターフェースと、
第１の処理ユニットであって、
前記クライアント側施行ユニットに固有の受信されたポリシ情報に基づいて個別リターンリンクポリシを動的に施行し、
前記宛先ネットワークへ配信するネットワークメッセージをネットワーク装置から受信し、
前記１個以上第１のネットワークインターフェースを介して、前記個別リターンリンクポリシを用いて前記ネットワークメッセージを前記第１の接続ネットワークと前記第２の接続ネットワークのうち少なくとも一方を介して送信する第１の処理ユニットと、を含む複数のクライアント側施工ユニットと、
ポリシ管理ユニットであって、当該ポリシ管理ユニットが、
前記第１の接続ネットワークと前記第２の接続ネットワークのうち少なくとも一方を介して通信を行うための１個以上の第２のネットワークインターフェースと、
第２の処理ユニットであって、
前記第１の接続ネットワークを介して、および前記第２の接続ネットワークを介して、前記複数のクライアント側施行ユニットの各クライアント側施行ユニットにより、各々の送信を示す情報を取得し、
前記情報に基づいて前記複数のクライアント側施行ユニットの各クライアント側施行ユニットに固有のポリシ情報を更新し、
前記１個以上の第２のネットワークインターフェースを介して、各クライアント側施行ユニットに固有の更新済みポリシ情報を送信する第２の処理ユニットと、
を含むポリシ管理ユニットと、
を備え、
前記ネットワークメッセージが第１のネットワークメッセージであり、前記システムが更にプロバイダ側施行ユニットを含み、前記プロバイダ側施行ユニットが、
前記第１の接続ネットワークおよび前記第２の接続ネットワークを介して通信を行うための１個以上の第３のネットワークインターフェースと、
第３の処理ユニットであって、
前記ポリシ管理ユニットから受信された前記クライアント側施行ユニットに固有の第２のポリシ情報に基づいて前記クライアント側施行ユニットの個別フォワードリンクポリシを動的に施行し、
前記ネットワーク装置へ配信する第２のネットワークメッセージを受信し、
前記１個以上の第３のネットワークインターフェースを介して、前記個別フォワードリンクポリシを用いて前記第２のネットワークメッセージを前記第１の接続ネットワークおよび前記第２の接続ネットワークのうち少なくとも一方を介して送信するように構成された第３の処理ユニットを含むことを特徴とするシステム。
【請求項８】
請求項７に記載のシステムにおいて、前記個別フォワードリンクポリシが前記個別リターンリンクポリシとは異なることを特徴とするシステム。
【請求項９】
請求項７に記載のシステムにおいて、前記第１のネットワークメッセージおよび前記第２のネットワークメッセージがネットワーク対話に関連付けられていて、前記第１の処理ユニットが前記第１の接続ネットワークを介して前記第１のネットワークメッセージを送信し、前記第３の処理ユニットが前記第２の接続ネットワークを介して前記第２のネットワークメッセージを送信することを特徴とするシステム。
【請求項１０】
請求項１に記載のシステムにおいて、前記ネットワークメッセージの第１の部分が前記第１の接続ネットワークを介して送信され、前記ネットワークメッセージの第２の部分が前記第２の接続ネットワークを介して送信されることを特徴とするシステム。
【請求項１１】
請求項１に記載のシステムにおいて、前記第１の接続ネットワークの前記第１の特徴および前記第２の接続ネットワークの前記第２の特徴が、遅延、コスト、容量および輻輳のうち少なくとも１個を含むことを特徴とするシステム。
【請求項１２】
請求項１１に記載のシステムにおいて、前記第１の接続ネットワークが衛星ネットワークであり、前記第２の接続ネットワークが地上ネットワークであることを特徴とするシステム。
【請求項１３】
請求項１１に記載のシステムにおいて、前記クライアント側施行ユニットが更に、前記ネットワークメッセージを分類すべく構成されたトラフィック分類器を含み、前記クライアント側施行ユニットの前記第１の処理ユニットが、更に前記ネットワークメッセージの分類に基づいて、前記第１の接続ネットワークおよび前記第２の接続ネットワークのうち少なくとも一方を介して前記ネットワークメッセージを送信することを特徴とするシステム。
【請求項１４】
請求項１に記載のシステムにおいて、前記クライアント側施行ユニットに関連付けられた通信端末を更に含み、前記個別リターンリンクポリシが、以前の期間にわたる前記通信端末による前記第１の接続ネットワークおよび前記第２の接続ネットワークのネットワーク使用状況に基づいていることを特徴とするシステム。
【請求項１５】
請求項１に記載のシステムにおいて、前記ネットワークメッセージが加入者に関連付けられていて、前記個別リターンリンクポリシが、以前の期間にわたる前記加入者による前記第１の接続ネットワークおよび前記第２の接続ネットワークのネットワーク使用状況に基づいていることを特徴とするシステム。
【請求項１６】
請求項１に記載のシステムにおいて、前記個別リターンリンクポリシが、以前の期間にわたる前記複数のクライアント側施行ユニットによる前記第１の接続ネットワークおよび前記第２の接続ネットワークの集計されたネットワーク使用状況に基づいていることを特徴とするシステム。
【請求項１７】
請求項１に記載のシステムにおいて、前記個別リターンリンクポリシが前記クライアント側施行ユニットの地理的位置に基づいていることを特徴とするシステム。
【請求項１８】
請求項１に記載のシステムにおいて、前記第１の処理ユニットが更に、前記クライアント側施行ユニットによる前記ネットワークメッセージの受信時刻に基づいて前記個別リターンリンクポリシを調整することを特徴とするシステム。
【請求項１９】
請求項１に記載のシステムにおいて、前記クライアント側施行ユニットの前記第１の処理ユニットが更に、前記ネットワーク装置の装置種類を決定し、且つ前記決定された装置の種類に基づいて前記第１の接続ネットワークおよび前記第２の接続ネットワークのうち少なくとも一方を介して前記ネットワークメッセージを送信することを特徴とするシステム。
【請求項２０】
ルーティングポリシを動的に更新する方法であって、
クライアント側施行ユニットにより、個別リターンリンクポリシを、前記クライアント側施行ユニットに固有の受信されたポリシ情報に基づいて、第１の接続ネットワークを介してネットワークメッセージを送信するための前記個別リターンリンクポリシが第１の特徴を有し、第２の接続ネットワークが前記第１の特徴とは異なる第２の特徴を有する状態で管理するステップと、
前記クライアント側施行ユニットにより、前記第１の接続ネットワークおよび前記第２の接続ネットワークを介して、接続可能な宛先ネットワークへ配信する第１のネットワークメッセージをネットワーク装置から受信するステップと、
前記クライアント側施行ユニットにより、前記個別リターンリンクポリシを用いて、前記第１の接続ネットワークおよび第２の接続ネットワークのうち少なくとも一方を介して前記第１のネットワークメッセージを送信するステップと、
前記クライアント側施行ユニットにより、前記クライアント側施行ユニットに固有の更新済みポリシ情報、すなわち前記第１の接続ネットワークおよび前記第２の接続ネットワークを介した前記クライアント側施行ユニットによる送信に基づいている更新済みポリシ情報を受信するステップと、
前記クライアント側施行ユニットにより、前記受信された更新済みポリシ情報に基づいて前記個別リターンリンクポリシを更新するステップと、
前記クライアント側施行ユニットにより、前記宛先ネットワークへ配信する第２のネットワークメッセージを前記ネットワーク装置から受信するステップと、
前記クライアント側施行ユニットにより、前記更新済みの個別リターンリンクポリシを用いて、前記第１の接続ネットワークまたは第２の接続ネットワークを介して前記第２のネットワークメッセージを送信するステップを含むことを特徴とする方法。
【請求項２１】
請求項２０に記載の方法において、
前記方法が、複数のクライアント側施工ユニットとポリシ管理ユニットとを備えるシステムを操作するためのものであり、
前記クライアント側施工ユニットが、一つの第１のクライアント側施工ユニットであり、
前記方法が、さらに、
個々の前記クライアント側施工ユニットにより、前記ポリシ管理ユニットから受信した対応するクライアント側施工ユニットに特有のポリシ情報に基づいて、個別リターンリンクポリシを管理するステップを含むことを特徴とする方法。
【請求項２２】
請求項２１に記載の方法が、さらに、
前記ポリシ管理ユニットにより、前記第１の接続ネットワークおよび第２の接続ネットワークを介した前記第１のクライアント側施工ユニットへの、または前記第１のクライアント側施工ユニットからの送信に関する使用情報を取得するステップと、
前記ポリシ管理ユニットにより、前記使用情報に基づいて、前記第１のクライアント側施工ユニットに特有のポリシ情報を更新するステップと、
前記ポリシ管理ユニットにより、前記第１のクライアント側施工ユニットに特有の更新した前記ポリシ情報を、前記第１のクライアント側施工ユニットへ送信するステップと、を含むことを特徴とする方法。
【請求項２３】
請求項２１に記載の方法において、前記複数のクライアント側施工ユニットが、第１グループのクライアント側施工ユニットと第２グループのクライアント側施工ユニットとを含み、前記第１グループの各クライアント側施工ユニットの個別リターンリンクポリシが、前記第２グループの各クライアント側施工ユニットの個別リターンリンクポリシとは異なることを特徴とする方法。
【請求項２４】
請求項２３に記載の方法において、前記第１のグループの各クライアント側施行ユニットが第１の種類の通信端末に関連付けられていて、前記第２のグループの各クライアント側施行ユニットが第２の種類の通信端末に関連付けられていることを特徴とする方法。
【請求項２５】
請求項２３に記載の方法において、前記第１のグループの各クライアント側施行ユニットの個別リターンリンクポリシの少なくとも一部が共通であることを特徴とする方法。
【請求項２６】
請求項２１に記載の方法において、
前記方法が、さらにプロバイダ側施工ユニットを備えるシステムを操作するためのものであり、
前記方法が、さらに、
前記プロバイダ施工側ユニットにより、前記第１のクライアント側施工ユニットに特有の第２のポリシ情報に基づいて、個別フォワードリンクポリシを管理するステップと、
前記プロバイダ施工側ユニットにより、前記ネットワーク装置へ配信するネットワークメッセージを受信するステップと、
前記プロバイダ施工側ユニットにより、前記個別フォワードリンクポリシを使用して、前記第１の接続ネットワークおよび前記第２の接続ネットワークの少なくとも一方を介して、前記ネットワーク装置へ配信するネットワークメッセージを送信するステップと、を含むことを特徴とする方法。
【請求項２７】
請求項２１に記載の方法において、前記第１のネットワークメッセージを送信するステップが、
前記第１のネットワークメッセージの第１の部分を、前記第１の接続ネットワークを介して送信するステップと、
前記ネットワークメッセージの第２の部分を、前記第２の接続ネットワークを介して送信するステップと、を含むことを特徴とする方法。
【請求項２８】
請求項２１に記載の方法において、前記第１の接続ネットワークの前記第１の特徴および前記第２の接続ネットワークの前記第２の特徴が、遅延、コスト、容量および輻輳のうち少なくとも１個を含むことを特徴とする方法。
【請求項２９】
請求項２１に記載の方法において、前記第１の接続ネットワークが衛星ネットワークであり、前記第２の接続ネットワークが地上ネットワークであること特徴とする方法。
【請求項３０】
請求項２１に記載の方法が、さらに、
前記第１のクライアント側施工ユニットのトラフィック分類器により、前記第１のネットワークメッセージを分類するステップ、を含み、
前記第１のネットワークメッセージを送信するステップが、前記ネットワークメッセージの分類にさらに基づいて、前記第１の接続ネットワークおよび前記第２の接続ネットワークの少なくとも一方を介して、前記第１のネットワークメッセージを送信するステップを含む、ことを特徴とする方法。
【請求項３１】
請求項２１に記載の方法において、前記第１のクライアント側施工ユニットによる前記第１接続ネットワークおよび第２接続ネットワークを介した送信が、以前の期間中に行われることを特徴とする方法。
【請求項３２】
請求項３１に記載の方法において、前記送信が、前記第１のクライアント側施工ユニットに関連する加入者によって行われることを特徴とする方法。
【請求項３３】
請求項２１に記載の方法において、前記個別リターンリンクポリシを更新するステップが、以前の期間にわたる前記複数のクライアント側施行ユニットによる前記第１の接続ネットワークと前記第２の接続ネットワークとの合計のネットワーク使用状況に基づいていることを特徴とする方法。
【請求項３４】
請求項２１に記載の方法において、前記個別リターンリンクポリシを更新するステップが、前記第１のクライアント側施行ユニットの地理的位置にさらに基づいていることを特徴とする方法。
【請求項３５】
請求項２１に記載の方法において、前記個別リターンリンクポリシを更新するステップが、前記第１のクライアント側施行ユニットによる前記更新済みポリシ情報の受信時刻にさらに基づいていることを特徴とする方法。
【請求項３６】
請求項２１に記載の方法が、さらに、
前記ネットワーク装置の装置種類を決定するステップを含み、
前記第２のネットワークメッセージを送信するステップが、さらに前記装置種類に基づいていることを特徴とする方法。